(57)【特許請求の範囲】
【請求項１】
透過型砂防ダムの上流側の堆積物を下流側に排除する方法において、
ダムの構成部材の一部を撤去して、ダムのスリット純間隔を拡げる工程と、撤去した構成部材の両側の構成部材間をつなぎ梁材によって連結する工程と、自然流水によって前記堆積物を下流側に押し流して排除する工程と、を有することを特徴とする、透過型砂防ダムの堆積物の排除方法。
【発明の詳細な説明】
【０００１】
【発明の属する技術分野】
この発明は、ダムの構成部材の一部を撤去して、ダムのスリット純間隔（柱材純間隔）を拡げ、ダムの上流側に堆積した土砂、土石等の堆積物を自然流水により下流側に押し流して排除する、透過型砂防ダムの堆積物の排除方法に関するものである。
【０００２】
【従来の技術】
透過型砂防ダムは、土石流を阻止し、平常時および中小洪水時には土砂を下流側に流下させて、計画的にダムの空容量を確保し、且つ、自然の摂理に合致する等、土砂を流下させない不透過型ダムにはない利点を有している。
【０００３】
鋼管を主要構成部材とする透過型砂防ダムの一つに、図１に示される鋼管製透過型砂防ダムが知られている。
【０００４】
この透過型砂防ダムは、基礎コンクリート１上に渓流方向と直角方向に間隔をあけて固定された上下に２分割された鋼管製柱材２と、柱材２間を連結するつなぎ梁材３と、柱材２と基礎コンクリート１間に配された傾斜梁材（図示せず）とからなっている。
【０００５】
この種の透過型砂防ダムによれば、土石流の巨礫の衝突エネルギーは、柱材２およびつなぎ材３の凹み変形や塑性曲げ変形等によって吸収される。
【０００６】
【発明が解決しようとする課題】
土石流を捕捉した砂防ダムは、ダム上流側に捕捉された堆積物が堆積した状態となる。こうした堆積物のうち、後続の洪水（流水）によって少量且つ小径のものは下流側に押し流されるが、大半は堆積した状態で残る。従って、ダム本来の機能を回復させるには、堆積物を全て排除する必要があるが、これを全て機械力によって行うとすると、莫大な費用と労力がかかる。
【０００７】
そこで、本願発明者等は、ダム上流側の堆積物の排除を費用および労力をかけず容易に行う手段を得べく、鋭意検討を重ねた。その結果、ダムのスリット純間隔を拡げ、自然流水によって堆積物を下流側に押し流せば、堆積物の排除に費用と労力がかからないといった知見を得た。
【０００８】
【課題を解決するための手段】
この発明は、上記知見に基きなされたものであって、下記を特徴とする。
【０００９】
請求項１記載の発明は、透過型砂防ダムの上流側の堆積物を下流側に排除する方法において、ダムの構成部材の一部を撤去して、ダムのスリット純間隔を拡げる工程と、撤去した構成部材の両側の構成部材間をつなぎ梁材によって連結する工程と、自然流水によって前記堆積物を下流側に押し流して排除する工程と、を有することに特徴を有するものである。
【００１３】
【発明の実施の形態】
次に、この発明の透過型砂防ダムの堆積物排除方法の一実施態様を、図面を参照しながら説明する。
【００１４】
図２は、柱材の一部を撤去した透過型砂防ダムを示す概略正面図、図３は、堆積物が堆積した状態を示す概略断面図、図４は、捕捉された柱材側上層堆積物を掘削した状態を示す概略断面図、図５は、上部柱材を撤去した状態を示す概略断面図、図６は、上層堆積物が流水により押し流された状態を示す概略断面図、図７は、捕捉された柱材側下層堆積物を掘削した状態を示す概略断面図、図８は、下部柱材を撤去した状態を示す概略断面図、図９は、下層堆積物が流水により押し流された状態を示す概略断面図、図１０は、柱材を取り付けた状態を示す概略断面図である。
【００１５】
図２に示すように、ダムの構成部材の一部である柱材２を一部、撤去して、ダムの透過部のスリット純間隔（Ｌ１）を（Ｌ２）に拡げる。透過型砂防ダムの機能を支配するのはスリット純間隔である。洪水時の土石流を完全に捕捉するスリット純間隔は、設計上の礫径の１．０〜１．５倍程度であるが、柱材２を一部、撤去することによってスリット純間隔を、例えば、２．５〜４．０倍程度に拡げる。これによって、ダム上流側の土砂、土石等の堆積物を自然流水によって下流側に押し流すことが可能となる。柱材２の一部を撤去した後は、柱材２間を新たにつなぎ梁材４によって連結し、ダム全体を補強する。
【００１６】
さらに詳しくは、図３に示すように、堆積物が堆積している状態から、図４に示すように、つなぎ梁材３によって連結された柱材側上層堆積物を掘削排除する。次に、図５に示すように、撤去する柱材の上部の締結ボルトを外して上部柱材２Ａを撤去し、撤去した柱材の両側の柱材間を他のつなぎ梁材４によって連結する。このようにして、上部スリット純間隔を拡げたら、図６に示すように、自然流水によって上流側の上層堆積物が下流側に押し流されるのを待つ。
【００１７】
次に、図７に示すように、柱材側下層堆積物を掘削排除する。次に、図８に示すように、撤去する柱材の下部の締結ボルトを外して下部柱材２Ｂを撤去し、撤去した柱材の両側の柱材間を他のつなぎ梁材４によって連結する。このようにして、下部スリット純間隔を拡げたら、図９に示すように、自然流水によって下流側の下層堆積物が下流側に押し流されるのを待つ。このようにして、堆積物が下流側に押し流され、排除されたら、図１０に示すように、上部柱材２Ａ、下部柱材２Ｂおよびつなぎ梁材３を元の状態に組み立てる。
【００１８】
上述したように、この発明によれば、ダムのスリット純間隔を拡げることによって、自然流水により堆積物を下流側に押し流すことができるので、堆積物の排除に費用と労力がかからない。
【００１９】
上述の例は、上部柱材２Ａを撤去した後、下部柱材２Ｂを撤去するものであるが、上部柱材２Ａおよび下部柱材２Ｂを同時に撤去しても良い場合がある。
【００２０】
なお、柱材、梁材等のダム構成部材は、撤去可能なようにボルト等により連結することが好ましい。また、上記例は、柱材とつなぎ梁材とからなる透過型砂防ダムの場合であるが、基礎コンクリートと柱材との間に傾斜梁材を設けたダム等、他の構造の透過型砂防ダムにも適用できることは言うまでもない。
【００２１】
【発明の効果】
以上説明したように、この発明によれば、ダムの構成部材の一部を撤去して、ダムのスリット間隔を拡げることによって、自然流水により堆積物を下流側に押し流して排除することができるので、堆積物の排除に費用と労力がかからないといった有用な効果がもたらされる。
【図面の簡単な説明】
【図１】鋼管製透過型砂防ダムを示す概略正面図である。
【図２】柱材の一部を撤去した透過型砂防ダムを示す概略正面図である。
【図３】堆積物が堆積した状態を示す概略断面図である。
【図４】捕捉された柱材側上層堆積物を掘削した状態を示す概略断面図である。
【図５】上部柱材を撤去した状態を示す概略断面図である。
【図６】上層堆積物が流水により押し流された状態を示す概略断面図である。
【図７】捕捉された柱材側下層堆積物を掘削した状態を示す概略断面図である。
【図８】下部柱材を撤去した状態を示す概略断面図である。
【図９】下層堆積物が流水により押し流された状態を示す概略断面図である。
【図１０】柱材を取り付けた状態を示す概略断面図である。
【符号の説明】
１：基礎コンクリート
２：柱材
２Ａ：上部柱材
２Ｂ：下部柱材
３：つなぎ梁材
４：他のつなぎ梁材
【図１】
0004673515.tif 000002
【図２】
0004673515.tif 000003
【図３】
0004673515.tif 000004
【図４】
0004673515.tif 000005
【図５】
0004673515.tif 000006
【図６】
0004673515.tif 000007
【図７】
0004673515.tif 000008
【図８】
0004673515.tif 000009
【図９】
0004673515.tif 000010
【図１０】
0004673515.tif 000011